(57)【要約】【課題】移動通信システムで、無線区間における送受信データ量を削減し効率的なデータ伝送を行う。【解決手段】移動局装置１と回線制御局装置３それぞれに、データ分解制御部１２２とデータ復元制御部１２１とを備える。データ分解制御部１２２は、送信すべき複数の数値データの中から中央値またはその前後の値である基本データを選択する。この選択した基本データと、送信するデータ個数と、基本データと各数値データとの差分値を計算し、正負の区別を示す識別ビット及び差分値から成る差分情報とをビット列に設定し送信データを形成する。データ復元制御部１２１は、送られてきたデータを受信しこのデータを解析して基本データ，データ個数，差分情報を認識して基本データを取得する。この差分情報ごとに基本データ，識別ビット，差分値に基づき逆算処理を行い、元の数値データを復元する。【選択図】　　　図１
2004032176.tif 000002
【特許請求の範囲】
【請求項１】
無線回線を介し数値データの送受信を行う第１のデータ送受信装置と、前記第１のデータ送受信装置と接続する第２のデータ送受信装置とを有する移動通信システムであって、前記第１および第２のデータ送受信装置それぞれに、送信すべき複数の数値データの中から中央値またはその前後の値である基本データを選択し、この選択した基本データと、送信するデータ個数と、前記基本データと各数値データとの差分値を計算し正負の区別を示す識別ビットおよび前記差分値から成る差分情報とをビット列に設定し送信データを形成するデータ分解制御手段と、
前記送信データを受信しこのデータを解析して前記基本データ，データ個数，前記差分情報を認識して前記基本データを取得し、この差分情報ごとに前記基本データ，前記識別ビット，前記差分値に基づき逆算処理を行い、元の数値データを復元するデータ復元制御手段とを備えることを特徴とする移動通信システム。
【請求項２】
データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける移動局装置であって、前記移動局装置は、複数の数値データを送信する際にこれら数値データそれぞれを分解し所定の形式に形成するデータ分解制御部と、相手側から送信された送信データを受信し元の数値データに復元するデータ復元制御部とを有し、
前記データ分解制御部が、送信すべき複数の数値データにおける中央値またはその前後の値である基本データを選択する基本データ選択部と、送信する各数値データと前記基本データとの最大差分値を定めておく差分処理範囲設定部と、前記基本データを元に各数値データとの差分値を算出すると共にその結果が正の場合には識別ビットを１とし負の場合には識別ビットを０とする差分計算処理部と、前記差分計算処理部の結果に従い前記基本データを先頭にし続いて数値データの個数とそれ以降に各数値データとの差分値を識別ビットと共に差分情報を形成し前記差分処理範囲設定部にて定められた範囲内のビット列に設定する送信データ形成部とを備え、
前記データ復元制御部が、相手側から送信されたデータの内容を分析する受信データ解析部と、前記受信データ解析部の解析結果に基づき前記基本データを取得すると共に前記差分情報の個数および各差分情報を取得する基本データ取得部と、前記基本データ取得部が取得した各差分情報から前記識別ビットに基づき各差分値を決定し前記基本データとの加算処理を行う差分逆算処理部と、前記差分逆算処理部での加算処理の完了後に元の数値データへの復元処理を行うデータ復元部とを備えることを特徴とする移動局装置。
【請求項３】
データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける回線制御局装置であって、前記回線制御局装置は、複数の数値データを送信する際にこれら数値データそれぞれを分解し所定の形式に形成するデータ分解制御部と、相手側から送信された送信データを受信し元の数値データに復元するデータ復元制御部とを有し、
前記データ分解制御部が、送信すべき複数の数値データにおける中央値またはその前後の値である基本データを選択する基本データ選択部と、送信する各数値データと前記基本データとの最大差分値を定めておく差分処理範囲設定部と、前記基本データを元に各数値データとの差分値を算出すると共にその結果が正の場合には識別ビットを１とし負の場合には識別ビットを０とする差分計算処理部と、前記差分計算処理部の結果に従い前記基本データを先頭にし続いて数値データの個数とそれ以降に各数値データとの差分値を識別ビットと共に差分情報を形成し前記差分処理範囲設定部にて定められた範囲内のビット列に設定する送信データ形成部とを備え、
前記データ復元制御部が、相手側から送信されたデータの内容を分析する受信データ解析部と、前記受信データ解析部の解析結果に基づき前記基本データを取得すると共に前記差分情報の個数および各差分情報を取得する基本データ取得部と、前記基本データ取得部が取得した各差分情報から前記識別ビットに基づき各差分値を決定し前記基本データとの加算処理を行う差分逆算処理部と、前記差分逆算処理部での加算処理の完了後に元の数値データへの復元処理を行うデータ復元部とを備えることを特徴とする回線制御局装置。
【請求項４】
請求項２記載の移動局装置と、請求項３記載の回線制御局装置とを備えることを特徴とする移動通信システム。
【請求項５】
無線回線を介し数値データの送受信を行う第１のデータ送受信装置と、前記第１のデータ送受信装置と接続する第２のデータ送受信装置とを有する移動通信システムにおける数値データ伝送方法であって、データ送信側では、送信すべき複数の数値データの中から中央値またはその前後の値である基本データを選択するステップと、選択した基本データと送信すべき各数値データとの差分値を算出し所定範囲内のビット列に設定するステップと、前記差分値に対し正負判断を行い識別ビットに正または負を表示するステップと、前記基本データと前記差分値と前記識別ビットにより送信データを形成し受信側に送信するステップと、データ受信側では、前記送信データを受信し前記基本データに対する差分値および前記識別ビットにより元の数値データを復元するステップとを有することを特徴とする移動通信システムにおける数値データ伝送方法。
【請求項６】
データの送受信が可能な移動局装置と、前記移動局装置と無線回線によって接続される基地局装置と前記基地局装置と前記移動局装置との無線回線および呼の接続制御を行う回線制御局装置とを有する移動通信システムにおける数値データ伝送方法であって、データ送信側では、送信すべき複数の数値データを受信するステップと、受信した複数の数値データを検索し中央値またはその前後の値である基本データを求めるステップと、数値データごとに前記基本データとの差分値を計算し所定の範囲内のビット列に設定するステップと、この差分値ごとに計算結果が正の場合には識別ビットに１を設定し負の場合には識別ビットを０にするステップと、すべての数値データの計算を完了させ前記基本データ，データ個数，および前記識別ビットと前記差分値とから成る差分情報を有する送信データを形成するステップと、形成された送信データを送信するステップと、データ受信側では、前記送信データを受信しこのデータを解析するステップと、前記基本データを取得するステップと、前記差分情報の個数を把握するステップと、前記差分情報ごとに送信時の逆算を行うステップと、すべての差分情報の計算を完了させ元の数値データを復元するステップとを有することを特徴とする移動通信システムにおける数値データ伝送方法。
【請求項７】
データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける数値データの伝送を制御するためのプログラムであって、データ送信側では、送信すべき複数の数値データを受信する処理と、受信した複数の数値データを検索し中央値またはその前後の値である基本データを求める処理と、数値データごとに前記基本データとの差分値を計算し所定の範囲内のビット列に設定する処理と、この差分値ごとに計算結果が正の場合には識別ビットに１を設定し負の場合には識別ビットを０にする処理と、すべての数値データの計算を完了させ前記基本データ，データ個数，および前記識別ビットと前記差分値とから成る差分情報を有する送信データを形成する処理と、形成された送信データを送信する処理と、データ受信側では、前記送信データを受信しこのデータを解析する処理と、前記基本データを取得する処理と、前記差分情報の個数を把握する処理と、前記差分情報ごとに送信時の逆算を行う処理と、すべての差分情報の計算を完了させ元の数値データを復元する処理とをコンピュータに実行させることを特徴とするプログラム。
【発明の詳細な説明】
【０００１】
【発明の属する技術分野】
本発明はデータ伝送方式に関し、特に移動通信システムにおける無線区間での数値データ伝送機能に関する。
【０００２】
【従来の技術】
移動通信システムにおいては、無線区間の効率的な使用が重要なテーマの１つであり、様々な方法が考えられている。従来、移動通信システムにおける数値データ伝送では、送りたい情報、例えば数値データを加工することなしにそのまま無線区間に送信している。
【０００３】
【発明が解決しようとする課題】
上述したように従来の移動通信システムの無線区間におけるデータ伝送では、送信データは何ら加工することなしに、そのまま無線区間に送信しているため、大量のデータを伝送する場合など、無線回線が占有されてしまうという問題があった。このため、無線区間における効率的なデータ伝送が求められている。
【０００４】
本発明の目的は、無線区間における送受信データ量を削減し効率的なデータ伝送を行うことが可能な移動局装置，回線制御局装置，移動通信システムおよびその数値データ伝送方法ならびにプログラムを提供することにある。
【０００５】
【課題を解決するための手段】
本発明の移動局装置は、データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける移動局装置であって、前記移動局装置は、複数の数値データを送信する際にこれら数値データそれぞれを分解し所定の形式に形成するデータ分解制御部と、相手側から送信された送信データを受信し元の数値データに復元するデータ復元制御部とを有し、前記データ分解制御部が、送信すべき複数の数値データにおける中央値またはその前後の値である基本データを選択する基本データ選択部と、送信する各数値データと前記基本データとの最大差分値を定めておく差分処理範囲設定部と、前記基本データを元に各数値データとの差分値を算出すると共にその結果が正の場合には識別ビットを１とし負の場合には識別ビットを０とする差分計算処理部と、前記差分計算処理部の結果に従い前記基本データを先頭にし続いて数値データの個数とそれ以降に各数値データとの差分値を識別ビットと共に差分情報を形成し前記差分処理範囲設定部にて定められた範囲内のビット列に設定する送信データ形成部とを備え、前記データ復元制御部が、相手側から送信されたデータの内容を分析する受信データ解析部と、前記受信データ解析部の解析結果に基づき前記基本データを取得すると共に前記差分情報の個数および各差分情報を取得する基本データ取得部と、前記基本データ取得部が取得した各差分情報から前記識別ビットに基づき各差分値を決定し前記基本データとの加算処理を行う差分逆算処理部と、前記差分逆算処理部での加算処理の完了後に元の数値データへの復元処理を行うデータ復元部とを備える。
【０００６】
本発明の回線制御局装置は、データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける回線制御局装置であって、前記回線制御局装置は、複数の数値データを送信する際にこれら数値データそれぞれを分解し所定の形式に形成するデータ分解制御部と、相手側から送信された送信データを受信し元の数値データに復元するデータ復元制御部とを有し、前記データ分解制御部が、送信すべき複数の数値データにおける中央値またはその前後の値である基本データを選択する基本データ選択部と、送信する各数値データと前記基本データとの最大差分値を定めておく差分処理範囲設定部と、前記基本データを元に各数値データとの差分値を算出すると共にその結果が正の場合には識別ビットを１とし負の場合には識別ビットを０とする差分計算処理部と、前記差分計算処理部の結果に従い前記基本データを先頭にし続いて数値データの個数とそれ以降に各数値データとの差分値を識別ビットと共に差分情報を形成し前記差分処理範囲設定部にて定められた範囲内のビット列に設定する送信データ形成部とを備え、前記データ復元制御部が、相手側から送信されたデータの内容を分析する受信データ解析部と、前記受信データ解析部の解析結果に基づき前記基本データを取得すると共に前記差分情報の個数および各差分情報を取得する基本データ取得部と、前記基本データ取得部が取得した各差分情報から前記識別ビットに基づき各差分値を決定し前記基本データとの加算処理を行う差分逆算処理部と、前記差分逆算処理部での加算処理の完了後に元の数値データへの復元処理を行うデータ復元部とを備える。
【０００７】
本発明の移動通信システムは、無線回線を介し数値データの送受信を行う第１のデータ送受信装置と、前記第１のデータ送受信装置と接続する第２のデータ送受信装置とを有する移動通信システムであって、前記第１および第２のデータ送受信装置それぞれに、送信すべき複数の数値データの中から中央値またはその前後の値である基本データを選択し、この選択した基本データと、送信するデータ個数と、前記基本データと各数値データとの差分値を計算し正負の区別を示す識別ビットおよび前記差分値から成る差分情報とをビット列に設定し送信データを形成するデータ分解制御手段と、前記送信データを受信しこのデータを解析して前記基本データ，データ個数，前記差分情報を認識して前記基本データを取得し、この差分情報ごとに前記基本データ，前記識別ビット，前記差分値に基づき逆算処理を行い、元の数値データを復元するデータ復元制御手段とを備える。
【０００８】
また、本発明の移動通信システムは、データの送受信が可能な移動局装置と、前記移動局装置と無線回線によって接続される基地局装置と、前記基地局装置と前記移動局装置との無線回線および呼の接続制御を行う回線制御局装置とを有する移動通信システムであって、前記移動局装置および前記回線制御局装置のそれぞれに、複数の数値データを送信する際にこれら数値データそれぞれを分解し所定の形式に形成するデータ分解制御部と、相手側から送信された送信データを受信し元の数値データに復元するデータ復元制御部とを有し、前記データ分解制御部が、送信すべき複数の数値データにおける中央値またはその前後の値である基本データを選択する基本データ選択部と、送信する各数値データと前記基本データとの最大差分値を定めておく差分処理範囲設定部と、前記基本データを元に各数値データとの差分値を算出すると共にその結果が正の場合には識別ビットを１とし負の場合には識別ビットを０とする差分計算処理部と、前記差分計算処理部の結果に従い前記基本データを先頭にし続いて数値データの個数とそれ以降に各数値データとの差分値を識別ビットと共に差分情報を形成し前記差分処理範囲設定部にて定められた範囲内のビット列に設定する送信データ形成部とを備え、前記データ復元制御部が、相手側から送信されたデータの内容を分析する受信データ解析部と、前記受信データ解析部の解析結果に基づき前記基本データを取得すると共に前記差分情報の個数および各差分情報を取得する基本データ取得部と、前記基本データ取得部が取得した各差分情報から前記識別ビットに基づき各差分値を決定し前記基本データとの加算処理を行う差分逆算処理部と、前記差分逆算処理部での加算処理の完了後に元の数値データへの復元処理を行うデータ復元部とを備える。
【０００９】
本発明の移動通信システムにおける数値データ伝送方法は、無線回線を介し数値データの送受信を行う第１のデータ送受信装置と、前記第１のデータ送受信装置と接続する第２のデータ送受信装置とを有する移動通信システムにおける数値データ伝送方法であって、データ送信側では、送信すべき複数の数値データの中から中央値またはその前後の値である基本データを選択するステップと、選択した基本データと送信すべき各数値データとの差分値を計算し所定範囲内のビット列に設定するステップと、前記差分値に対し正負判断を行い識別ビットに正または負を表示するステップと、前記基本データと前記差分値と前記識別ビットにより送信データを形成し受信側に送信するステップと、データ受信側では、前記送信データを受信し前記基本データに対する差分値および前記識別ビットにより元の数値データを復元するステップとを有する。
【００１０】
また、本発明の移動通信システムにおける数値データ伝送方法は、データの送受信が可能な移動局装置と、前記移動局装置と無線回線によって接続される基地局装置と前記基地局装置と前記移動局装置との無線回線および呼の接続制御を行う回線制御局装置とを有する移動通信システムにおける数値データ伝送方法であって、データ送信側では、送信すべき複数の数値データを受信するステップと、受信した複数の数値データを検索し中央値またはその前後の値である基本データを求めるステップと、数値データごとに前記基本データとの差分値を計算し所定の範囲内のビット列に設定するステップと、この差分値ごとに計算結果が正の場合には識別ビットに１を設定し負の場合には識別ビットを０にするステップと、すべての数値データの計算を完了させ前記基本データ，データ個数，および前記識別ビットと前記差分値とから成る差分情報を有する送信データを形成するステップと、形成された送信データを送信するステップと、データ受信側では、前記送信データを受信しこのデータを解析するステップと、前記基本データを取得するステップと、前記差分情報の個数を把握するステップと、前記差分情報ごとに送信時の逆算を行うステップと、すべての差分情報の計算を完了させ元の数値データを復元するステップとを有する。
【００１１】
本発明のプログラムは、データの送受信が可能な移動局装置と、前記移動局装置と無線回線によって接続される基地局装置と、前記基地局装置と前記移動局装置との無線回線および呼の接続制御を行う回線制御局装置とを有する移動通信システムにおける数値データの伝送を制御するためのプログラムであって、データ送信側では、送信すべき複数の数値データを受信する処理と、受信した複数の数値データを検索し中央値またはその前後の値である基本データを求める処理と、数値データごとに前記基本データとの差分値を計算し所定の範囲内のビット列に設定する処理と、この差分値ごとに計算結果が正の場合には識別ビットに１を設定し負の場合には識別ビットを０にする処理と、すべての数値データの計算を完了させ前記基本データ，データ個数，および前記識別ビットと前記差分値とから成る差分情報を有する送信データを形成する処理と、形成された送信データを送信する処理と、データ受信側では、前記送信データを受信しこのデータを解析する処理と、前記基本データを取得する処理と、前記差分情報の個数を把握する処理と、前記差分情報ごとに送信時の逆算を行う処理と、すべての差分情報の計算を完了させ元の数値データを復元する処理とをコンピュータに実行させる。
【００１２】
【発明の実施の形態】
次に、本発明の実施の形態について図面を参照して詳細に説明する。
【００１３】
図１を参照すると、本発明の実施の形態が適用される移動通信システムの構成が示されている。移動通信システムは、データの送受信が可能な移動局装置１，１ｎと、移動局装置と無線回線によって接続される基地局装置２，２ｎと、基地局装置と移動局装置との無線回線および呼の接続制御を行い他のデータ端末（図示せず）と接続するため交換網４に接続される回線制御局装置３とを有する。
【００１４】
移動局装置１は、移動局装置の動作制御のためのプログラムを格納しておくメモリ１１と、メモリ１１からプログラムを読み出し移動局装置各部の動作制御を行うコンピュータに相当する中央処理部１２とを備える。中央処理部１２は、複数の数値データを送信する際にこれら数値データそれぞれを分解し所定の形式に形成するデータ分解制御部１２２と、相手側から送信された送信データを受信し元の数値データに復元するデータ復元制御部１２１とを有する。回線制御局装置３はメモリ３１と中央処理部３２とを備え、中央処理部３２はデータ分解制御部３２１とデータ復元制御部３２２を有し、これら各部は上述した移動局装置１の同じ名称の各部と同一機能なので説明を省略する。
【００１５】
図２を参照すると、図１におけるデータ分解制御部３２１の細部が示されている。データ分解制御部３２１は、基本データ選択部３２１１と、差分処理範囲設定部３２１２と、差分計算処理部３２１３と、送信データ形成部３２１４とを備える。基本データ選択部３２１１は、送信すべき複数の数値データにおける中央値またはその前後の値である基本データを選択する。差分処理範囲設定部３２１２は、送信する各数値データと基本データとの最大差分値を定めておく。
【００１６】
差分計算処理部３２１３は、基本データを元に各数値データとの差分値を算出すると共にその結果が正の場合には識別ビットを１とし負の場合には識別ビットを０とする。送信データ形成部３２１４は、差分計算処理部３２１３の結果に従い基本データを先頭にし続いて数値データの個数とそれ以降に各数値データとの差分値を識別ビットと共に差分情報を形成し差分処理範囲設定部３２１２にて定められた範囲内のビット列に設定する。
【００１７】
図３を参照すると、図１におけるデータ復元制御部１２１の細部が示されている。データ復元制御部１２１は、受信データ解析部１２１１と、基本データ取得部１２１２と、差分逆算処理部１２１３と、データ復元部１２１４とを備える。受信データ解析部１２１１は相手側から送信されたデータの内容を分析する。基本データ取得部１２１２は、受信データ解析部１２１１の解析結果に基づき基本データを取得すると共に差分情報の個数および各差分情報を取得する。差分逆算処理部１２１３は、基本データ取得部１２１２が取得した各差分情報から識別ビットに基づき各差分値を決定し基本データとの加算処理を行う。
【００１８】
データ復元部１２１４は、差分逆算処理部１２１３での加算処理の完了後に元の数値データへの復元処理を行う。差分値は、中心数値データを基本データを元にして生成されるため、正の数字、負の数字で表現される。正と負に関しては１ビットで表現され、差分値ごとに設定する。受信側の回線制御局装置または移動局装置は、基本データを元に差分処理の逆算を行い、数値データを復元する。
【００１９】
回線制御局装置３、移動局装置１にはシステムパラメータとして、単位情報長を設定する。この単位情報長は処理単位長であり、送信情報長はこの単位、あるいは単位情報長のｎ倍で形成される。また、回線制御装置３と移動局装置１には数値データの差分処理可能範囲を設定する。この差分処理可能範囲は差分値を算出する元となる基本データとの最大差分値を決定するものであり、本機能を採用するシステムにて差分値を決めておく必要がある。
【００２０】
また、差分処理可能範囲は、差分値を設定するビット長の最大値も決定する。差分処理可能範囲が狭ければ狭いほど、差分値を設定するビット列が短くなるため、無線区間で送信するデータ量が少なくなる。送信したい数値データが複数ある場合、その数値データ群の一つを基本データとし他の情報との差分値を算出する。その差分値を差分処理可能範囲にて設定されたビット列に設定することによって、無線区間に送信する。ただし、この方法は基本データと他の数値データとの差分値、すなわち差分処理可能範囲が基本データのビット長未満であることが条件である。
【００２１】
この差分値は、情報を生成する回線制御局装置３にて計算し基地局装置２に送信される。また、基地局装置２は無線を使用しその情報を移動局装置１に送信する。受信した移動局装置１では、その情報から逆算を行い元の数値データを取得する。移動局装置１より送信する場合も同様であり、移動局装置１で差分値を計算し基地局装置２を経由し、回線制御局装置３にて逆算され元の数値データを取得する。
【００２２】
次に、図５を参照して本実施の形態におけるデータを送信する際のデータ処理の流れを説明する。
【００２３】
まず、回線制御局装置が移動局装置に対して数値データを送信する場合について説明をする。回線制御局装置が、送信したい複数の数値データを交換網を介し他のデータ端末から受信する（図５のステップ５１：Ｓ５１と略称する。以下同様）。回線制御局装置は、受信した複数の数値データの中から中央に位置する数値データを検索選択し、この選択された数値データを基本データとする（Ｓ５２）。この基本データは、他の数値データと差分値を算出する元になるデータであり、複数の数値データの内どの数値としてもよいが，差分値を大きくしないため中央値あるいはその前後が好ましい。
【００２４】
次に、各数値データとの差分計算処理に移る。基本データを元に各数値データとの差分値を計算する（Ｓ５３）。このとき差分計算結果の正負判定を行い（Ｓ５４）、結果が正であれば正負の識別ビットに１を設定する（Ｓ５５）。また、差分計算結果が負であれば、正負の識別ビットは０のままとする（Ｓ５６）。各数値データとの差分値計算、および正負識別ビットの付与が終了したら（Ｓ５７）、送信データを図４に示すように形成する（Ｓ５８）。
【００２５】
形成する送信データは、基本データが先頭に設定され、それに続け送信するデータ個数を示し、それ以降に他の数値データとの差分値が正負識別ビットと共に差分情報１〜ｎとして設定される。また、この差分情報のビット長は差分処理可能範囲にて決定される。送信データが形成されたら、基地局装置に送信され無線を使用して移動局装置に送信される（Ｓ５９）。
【００２６】
次に、図６を参照して本実施の形態におけるデータを受信する際のデータ処理の流れを説明する。
【００２７】
移動局装置は、回線制御局から基地局を介し送信されたデータを受信し（図６のＳ６１）、この受信したデータを解析し（Ｓ６２）、その中から基本データを取得する（Ｓ６３）。次に、受信したデータに設定されている差分情報の個数を把握する（Ｓ６４）。取得した差分情報より正負識別ビットにて、差分値量を決定し差分値の逆算、すなわち加算処理を行う（Ｓ６５）。基本データと差分情報の和をそれぞれ計算し、すべてのデータの計算を完了させ（Ｓ６６）、元の数値データを復元する。
【００２８】
なお、移動局装置から回線制御局装置に対してデータ送信する場合についても、上述した手順と同様なので説明を省略する。
【００２９】
次に、具体的に簡単な数値データの例を用いて、データ送信およびデータ復元を行う場合の処理動作を説明する。
【００３０】
始めに、送信側では、送信したい数値データは「２０，２１，２２，２３，２４」の４個とする。この場合、中央値ではないが、この中間値前後の数値ということで基本データとして「２２」を選択する。次に、各数値データの変換を行う。「２０」の変換は、２０−２２＝−２　よって、送信データ（差分情報）は、０，２となり、以下同様に「２１」の変換は、２１−２２＝−１　よって、送信データは、０，１となる。また、「２２」の変換は、２２−２２＝０　よって、送信データは、０，０となり、「２３」の変換は、２３−２２＝＋１　よって、送信データは、１，１となる。従って、送信データは「２２，４，０，２，０，１，０，０，１，１」のようになる。なお、差分可能範囲は送受信データの差分情報のビット数による。
【００３１】
一方、受信側では、上述したデータ「２２，４，０，２，０，１，０，０，１，１」を受信する。次に、この受信した内容から「２２」が基本データであり、データ個数が４個あることを認識する。そして、上述した手順の逆算を行うことにより、容易に元の数値データを復元することができる。
【００３２】
【発明の効果】
以上説明したように本発明によれば、元の数値データ群より送信すべき複数の数値データにおける中央値またはその前後の値である基本データを選択し、各数値データとの差分値を算出しているため、データの送受信に際し元の数値データ全体の情報量が小さくなる。これに伴い無線区間で送信する情報量が小さくなるため、情報伝送時間も短くなり、無線区間の効率化を図ることが可能になる。
【図面の簡単な説明】
【図１】本発明の実施の形態が適用される移動通信システムを示すブロック図である。
【図２】図１におけるデータ分解制御部の構成を示すブロック図である。
【図３】図１におけるデータ復元制御部の構成を示すブロック図である。
【図４】送信データの構成を説明するための図である。
【図５】本発明の数値データ送信方法のうちデータ送信時の処理手順を示すフローチャートである。
【図６】本発明の数値データ送信方法のうちデータ復元時の処理手順を示すフローチャートである。
【符号の説明】
１，１ｎ　　移動局装置
２，２ｎ　　基地局装置
３　　回線制御局装置
４　　交換網
１１，３１　　メモリ
１２，３２　　中央処理部
１２１，３２２　　データ復元制御部
１２２，３２１　　データ分解制御部
１２１１　　受信データ解析部
１２１２　　基本データ取得部
１２１３　　差分逆算処理部
１２１４　　データ復元部
３２１１　　基本データ選択部
３２１２　　差分処理範囲設定部
３２１３　　差分計算処理部
３２１４　　送信データ形成部
【図１】
2004032176.tif 000003
【図２】
2004032176.tif 000004
【図３】
2004032176.tif 000005
【図４】
2004032176.tif 000006
【図５】
2004032176.tif 000007
【図６】
2004032176.tif 000008